(57)【要約】【課題】ビニールホース内の水を良好に排水できて、コイルスプリングの錆び等を防止できる免震手摺を提供する。【解決手段】免震装置を備えた建物１とその周囲の地盤側の建物２間に略水平に架設されるコイルスプリング５１，６１，７１製の免震手摺５，６，７であって、コイルスプリング５１，６１，７１の外周面は、それぞれ円筒状のビニールホース５２，６２，７２で被覆されており、各ビニールホース５２，６２，７２の水平方向中央部付近には、それぞれ水抜孔５２ａ，６２ａ，７２ａが形成されている。【選択図】図１
0003193289.tif 000002
【実用新案登録請求の範囲】
【請求項１】
免震装置を備えた建物とその周囲の地盤側との間に略水平に架設されるコイルスプリング製の手摺であって、
前記コイルスプリングの外周面は円筒状のビニールホースで被覆されてなり、
該ビニールホースの水平方向中央部付近には水抜孔が形成されている
ことを特徴とする免震手摺。
【請求項２】
前記ビニールホースは透明であり、前記水抜孔は、該ビニールホースの下面に下向きに貫通形成されていることを特徴とする請求項１に記載の免震手摺。
【請求項３】
前記水抜孔の径が直径約１０ｍｍに設定されていることを特徴とする請求項１または請求項２に記載の免震手摺。
【考案の詳細な説明】
【技術分野】
【０００１】
本考案は、免震装置を備えた建物とその周囲の地盤との間の免震クリアランスである目地部に設けられる免震手摺に関するものである。
【背景技術】
【０００２】
従来、特許文献１に開示されているような免震手摺が存在し、これは、免震装置を備えた建物とその周囲の地盤との間の免震クリアランス上に、案全対策として人等の落下防止用に設けられたものである。
【先行技術文献】
【特許文献】
【０００３】
【特許文献１】特許第３４８３４９８号公報
【考案の概要】
【考案が解決しようとする課題】
【０００４】
上記特許文献１に開示されているような免震手摺では、コイルバネ製の手摺を伝って雨水がチューブ内に溜まり、コイルバネに錆びが生じやすいという問題点があった。
【課題を解決するための手段】
【０００５】
本考案は、コイルスプリングの錆び等を良好に保護できる免震手摺の提供を目的とし、この目的の少なくとも一部を達成するために以下の手段を採った。
本考案の免震手摺は、免震装置を備えた建物とその周囲の地盤側との間に略水平に架設されるコイルスプリング製の手摺であって、
前記コイルスプリングの外周面は円筒状のビニールホースで被覆されてなり、
該ビニールホースの水平方向中央部付近には水抜孔が形成されていることを要旨とする。
【考案の効果】
【０００６】
本考案の免震手摺では、コイルスプリングを伝ってビニールホースの両端側からビニールホース内に侵入した雨水等は良好に水抜孔から排出されてゆくため、ビニールホース内に水が溜まることがなく、コイルスプリングの錆び等を確実に防ぐことができるものとなる。
【０００７】
また、本考案の免震手摺において、前記ビニールホースは透明であり、前記水抜孔は該ビニールホースの下面に下向きに貫通形成されているものとすることもできる。
こうすれば、ビニールホースは透明であるため、内部のコイルスプリングを良好に外から視認することができ、コイルスプリングに錆び等が発生していることを容易に発見できるものとなり、また、ビニールホースの中央部には下向きに水抜孔が形成されているため、確実にビニールホース内の水を抜き取ることができるものとなる。
【０００８】
また、本考案の免震手摺において、前記水抜孔の径が直径約１０ｍｍに設定されているものとすることもできる。
こうすれば、ビニールホース内の水を良好に水抜孔を介して排出できるものとなる。
【図面の簡単な説明】
【０００９】
【図１】免震手摺の設置状態の一例を示す正面構成図である。
【図２】免震手摺の先端側の拡大図である。
【図３】免震手摺の設置状態の別例を示す正面構成図である。
【考案を実施するための形態】
【００１０】
次に、本考案を実施するための形態を実施例を用いて説明する。
図１は、免震手摺の設置状態の正面構成図である。
図示しない免震装置を備えた建物である免震建物１と、地盤側に建てられた地盤側建物２間には、免震クリアランスである目地３が形成されている。即ち、地震発生時には、免震建物１は免震装置により動かないが、地盤側建物２は水平方向に大きく動くこととなるため、免震建物１と地盤側建物２が地震発生時にぶつからないように免震クリアランスである目地３が形成されている。
【００１１】
この目地３上には、免震建物１側からの目地カバー４ａと、地盤側建物２側からの目地カバー４ｂが設けられて、目地３がこの目地カバー４ａ，４ｂで蓋された状態となっている。
この目地カバー４ａ，４ｂ上に、人などの落下防止用の免震手摺５，６，７が設置されている。
この免震手摺５，６，７は、免震建物１側に固定されたフレームである躯体枠８と、地盤側建物２側に固定されたフレームである躯体枠９間に、略水平に架設されたものであり、上下に間隔をおいて３本の免震手摺５，６，７が、通常はそれぞれ中央部が下向きに撓んだ状態で架設されている。
【００１２】
図２は、免震手摺５の先端側を拡大して示す拡大図である。
免震手摺５は、ステンレス製のコイルスプリング５１と、そのコイルスプリング５１の外周面に被覆された円筒状のビニールホース５２で構成されている。
コイルスプリング５１の両端側には、フック部５１ａが形成されており、このフック部５１ａが、躯体枠９から突出された受け金具１０にボルトナット１１で締め付け固定されて、躯体枠８，９間にコイルスプリング５１が架設される。
【００１３】
このコイルスプリング５１の錆び等に対する保護用として、外周にビニールホース５２が被覆されており、このビニールホース５２は、コイルスプリング５１の水平方向ほぼ全長に亘り被覆されたものであり、透明或いは半透明の耐化学薬品性および耐候性を有する例えば塩化ビニール樹脂（ＰＶＣ）或いは軟質ポリエチレン製等で、内径が３８ｍｍ、外径が４４ｍｍに設定されている。
【００１４】
このビニールホース５２の水平方向中央部付近には、水抜孔５２ａが下面側に下向きに貫通形成されており、この水抜孔５２ａの直径は約１０ｍｍに設定されている。
同様に下側の免震手摺６，７においても、コイルスプリング６１の外周に被覆されたビニールホース６２の水平方向中央部に水抜孔６２ａが貫通形成されており、また、コイルスプリング７１の外周に被覆されたビニールホース７２の水平方向中央部にも水抜孔７２ａが貫通形成されている。
このように、各免震手摺５，６，７には、水抜孔５２ａ，６２ａ，７２ａが設けられているため、コイルスプリング５１，６１，７１を伝って左右両端側からビニールホース５２，６２，７２内に入り込んだ雨水は、ビニールホース５２，６２，７２の水平方向中央部は通常状態では下側へ撓んでいるため、雨水は水平方向中央部に流れ込み、それぞれ水抜孔５２ａ，６２ａ，７２ａから良好に下側へ落下させられて排水されるものである。
【００１５】
従って、ビニールホース５２，６２，７２内には水は侵入しても溜まることがなく、良好にコイルスプリング５１，６１，７１の錆びの発生等を防ぐことができるものである。
また、内部に侵入した水が腐敗して悪臭を放ったり、ビニールホース５２，６２，７２が内部の水により左右側へ滑りやすくなることもなく、免震手摺５，６，７の使用勝手および美観が良好に維持されるものとなる。
【００１６】
なお、図３に示す免震手摺５，６，７は、設置状態を変更したものであり、免震装置を備えた免震建物側に柱１２が立設され、地盤側建物２にはフレーム状の躯体枠９が固定されて、この躯体枠９と免震建物側柱１２間に、略水平に免震手摺５，６，７が架設されたものである。
【００１７】
なお、この図３の免震手摺５，６，７においても、各ビニールホース５２，６２，７２の水平方向中央部付近には下向きに水抜孔５２ａ，６２ａ，７２ａが下面に貫通形成されており、良好に水を下方へ落下させて排水できるものである。
なお、このような設置状態の他に、免震手摺５，６，７は、各コイルスプリング５１，６１，７１の先端を、免震建物１および地盤側建物２のそれぞれのコンクリート部分に直接固定して設置される場合もある。
【符号の説明】
【００１８】
１  免震建物
２  地盤側建物
３  目地
４ａ，４ｂ  目地カバー
５，６，７  免震手摺
８，９  躯体枠
１０  受け金具
１１  ボルトナット
５１，６１，７１  コイルスプリング
５２，６２，７２  ビニールホース
５２ａ，６２ａ，７２ａ  水抜孔
【図１】
0003193289.tif 000003
【図２】
0003193289.tif 000004
【図３】
0003193289.tif 000005